(57)【要約】【課題】利用者が所望する量の内容物を簡単且つ短時間で取り出すことができ、利用者が目盛りを目視して計量する必要が無い計量容器を提供する。【解決手段】容器本体１０１のベース部１２０に、同一の円周に沿って、容積が相互に異なる２個の計量用凹部１２１，１２２を形成する。利用者が所望する量の内容物を取り出す場合には、まず、収容部１１０を回転させることにより、計量用凹部１２１，１２２の真上まで取出用筒部１０２を移動させ、その後で、容器本体１１０を傾ける。これにより、当該計量用凹部に貯留された内容物のみを、外部に取り出すことができる。【選択図】図１
2012218760.tif 000002
【特許請求の範囲】
【請求項１】
内容物を収容する容器本体と、
該容器本体の底部に、同一の円周に沿って設けられた、容積が相互に異なる複数の計量用凹部と、
下側開口端が前記底部の上面に近接するとともに前記円周に沿って移動し且つ上側開口端が前記容器本体を貫通して外部に露出するように構成された、前記計量用凹部のいずれかに貯留された前記内容物のみを選択的に外部に取り出すための取出用筒部と、
を備えることを特徴とする計量容器。
【請求項２】
前記容器本体が、上面が塞がれ且つ前記底面が開口した円筒状の収容部と、該収容部の該底面を塞ぐベース部とを備え、
該ベース部に前記複数の計量用凹部が設けられ、
前記取出用筒部が前記収容部の前記上面を貫通するように配置されて、該上面に固定され、
前記収容部を前記ベース部に対して相対的に回転させることにより、前記取出用筒部が移動する、
ことを特徴とする請求項１に記載の計量容器。
【請求項３】
内容物を収容する容器本体と、
該容器本体の底面から下方に突出する回転軸と、
前記容器本体の底面に近接して設けられ、該回転軸を中心として回転する計量用回転器と、
該計量用回転器の底面に近接して設けられたベース部と、
前記計量用回転器に、前記回転軸を中心とする円に沿って設けられた、容積が相互に異なる複数の計量用筒部と、
前記容器本体の底部に設けられた、前記容器本体に収容された内容物をそれぞれの前記計量用筒部に貯留するための本体開口部と、
前記ベース部に前記本体開口部と対向しないように設けられた、前記計量用筒部の何れかに貯留された前記内容物のみを選択的に外部に取り出すためのベース開口部と、
を備えることを特徴とする計量容器。
【請求項４】
前記計量用筒部、前記本体開口部及び前記ベース開口部がそれぞれ２個ずつ設けられ、
２個の該本体開口部は、前記円に沿って、２個の前記計量用筒部と同一間隔で配置され、
２個の前記ベース開口部は、前記円に沿って配置され、
一方の該ベース開口部は、対応する前記計量用筒部から時計方向にずれた位置に配置され、且つ、他方の該ベース開口部は、対応する前記計量用筒部から時計方向にずれた位置に配置される、
ことを特徴とする請求項１に記載の計量容器。
【発明の詳細な説明】
【技術分野】
【０００１】
本発明は、粉体、液体等の内容物を収容し、利用者が所定分量の内容物を取り出すことができる計量容器に関する。
【背景技術】
【０００２】
従来より、粉体、液体等の内容物を収容して、利用者が所望する分量のみを取り出す計量容器が知られている。このような計量容器としては、例えば、下記特許文献１に記載された計量容器が知られている。特許文献１の計量容器では、容器本体１２の開口に計量室４５が設けられている。そして、利用者が、容器本体１２を略水平にした状態で、計量室４５に設けられた目盛り５４を目視しつつ、所望量の内容物を容器本体１２から計量室４５に移動させ、その後で、容器本体１２を中心軸に沿って回転させることによって、該計量室４５に貯留された内容物を外部に取り出すこととしている（引用文献１の段落［００１９］−［００２１］等参照）。
【先行技術文献】
【特許文献】
【０００３】
【特許文献１】特開２００７−６９９４７号公報
【発明の概要】
【発明が解決しようとする課題】
【０００４】
しかしながら、特許文献１の計量容器には、利用者が容器本体１２内の内容物を計量室４５に一旦移動させた後で外部に取り出す必要があるため、内容物の取り出しに手間や時間がかかるという欠点がある。
【０００５】
また、利用者が目盛りを目視して取り出し量を決定する必要があるため、老眼の高齢者等にとって扱い難いという欠点もある。
【０００６】
以上の欠点により、特許文献１の計量容器は、例えば調味料等を収容して所望量ずつ取り出すための家庭用計量容器等には、不向きである。
【０００７】
本発明の課題は、利用者が所望する量の内容物を簡単且つ短時間で取り出すことができ、利用者が目盛りを目視して計量する必要が無い計量容器を提供することにある。
【課題を解決するための手段】
【０００８】
第１の発明に係る計量容器は、内容物を収容する容器本体と、該容器本体の底部に、同一の円周に沿って設けられた、容積が相互に異なる複数の計量用凹部と、下側開口端が前記底部の上面に近接するとともに前記円周に沿って移動し且つ上側開口端が前記容器本体を貫通して外部に露出するように構成された、前記計量用凹部のいずれかに貯留された前記内容物のみを選択的に外部に取り出すための取出用筒部とを備えることを特徴とする。
【０００９】
上記第１の発明においては、前記容器本体が、上面が塞がれ且つ前記底面が開口した円筒状の収容部と、該収容部の該底面を塞ぐベース部とを備え、該ベース部に前記複数の計量用凹部が設けられ、前記取出用筒部が前記収容部の前記上面を貫通するように配置されて、該上面に固定され、前記収容部を前記ベース部に対して相対的に回転させることにより、前記取出用筒部が移動するよう構成することが望ましい。
【００１０】
第２の発明に係る計量容器は、内容物を収容する容器本体と、該容器本体の底面から下方に突出する回転軸と、前記容器本体の底面に近接して設けられ、該回転軸を中心として回転する計量用回転器と、該計量用回転器の底面に近接して設けられたベース部と、前記計量用回転器に、前記回転軸を中心とする円に沿って設けられた、容積が相互に異なる複数の計量用筒部と、前記容器本体の底部に設けられた、前記容器本体に収容された内容物をそれぞれの前記計量用筒部に貯留するための本体開口部と、前記ベース部に前記本体開口部と対向しないように設けられた、前記計量用筒部の何れかに貯留された前記内容物のみを選択的に外部に取り出すためのベース開口部とを備える。
【００１１】
上記第２の発明においては、前記計量用筒部、前記本体開口部及び前記ベース開口部がそれぞれ２個ずつ設けられ、２個の該本体開口部は、前記円に沿って、２個の前記計量用筒部と同一間隔で配置され、２個の前記ベース開口部は、前記円に沿って配置され、一方の該ベース開口部は、対応する前記計量用筒部から時計方向にずれた位置に配置され、且つ、他方の該ベース開口部は、対応する前記計量用筒部から時計方向にずれた位置に配置されることが望ましい。
【発明の効果】
【００１２】
第１の発明によれば、容積が相互に異なる複数の計量用凹部を容器本体の底部に設け、取出用筒部を回転移動させることによって何れかの計量用凹部に貯留された内容物を選択し、その後で、容器本体を傾けることによって、選択された内容物のみを外部に取り出すことができる。このため、第１の発明に係る計量容器によれば、利用者は内容物を計量室に一旦移動させる必要が無いので、短時間で簡単に、所望量の内容物を取り出すことができる。また、利用者が目盛りを目視して計量する必要が無いので、老眼の高齢者等にとっても扱いやすい。更には、取出用筒部の回転移動は、計量容器を机上等に載置した状態で行えるため、取り扱いが容易であると共に、かかる取り扱い中に計量容器を落下させてしまうおそれも小さい。
【００１３】
第２の発明によれば、容積が相互に異なる複数の計量用筒部を容器本体下方の計量用回転器に設け、この計量用回転器を回転移動させることによって、計量用筒部に内容物を貯留し、さらに該計量用回転器を回転移動させることによっていずれか１個の計量用筒部に貯留された内容物のみを外部に取り出すことができる。このため、第２の発明に係る計量容器によれば、利用者は内容物を計量室に一旦移動させる必要が無いので、短時間で簡単に、所望量の内容物を取り出すことができる。また、利用者が目盛りを目視して計量する必要が無いので、老眼の高齢者等にとっても扱いやすい。
【図面の簡単な説明】
【００１４】
【図１】実施の形態１に係る計量容器の構造を概念的に示す斜視図である。
【図２】実施の形態１に係る計量容器の構造を示す概念図であり、図１のＡ−Ａ断面図である。
【図３】実施の形態１に係る計量容器の使用方法を説明するための概念図である。
【図４】実施の形態１に係る計量容器の変形例を説明するための概念図である。
【図５】実施の形態２に係る計量容器の全体構造を概念的に示す断面図である。
【図６】実施の形態２に係る計量容器の構造を示す概念図であり、（ａ）は容器本体の底面の図、（ｂ）は計量回転器の平面図、（ｃ）はベース部の平面図である。
【図７】実施の形態２に係る計量容器の使用方法を説明するための概念的平面図である。
【図８】実施の形態２に係る計量容器の使用方法を説明するための概念的断面図である。
【発明を実施するための形態】
【００１５】
以下、本発明の実施形態に係る計量容器について、図面を用いて説明する。
［発明の実施の形態１］
【００１６】
図１及び図２は、本発明の実施の形態１に係る計量容器の構造を概念的に示す図であり、図１は斜視図、図２は図１のＡ−Ａ断面図である。
【００１７】
図１及び図２に示したように、実施の形態１に係る計量容器１００は、容器本体１０１と、取出用筒部１０２とを備えている。
【００１８】
容器本体１０１は、収容部１１０とベース部１２０とを有する。
【００１９】
収容部１１０は、例えば円筒状の側壁部１１１と、上面部１１２とを備え、下部は開口している。上面部１１２には、取出用筒部１０２を貫通させるための開口１１３が設けられている。また、収容部１１０の内側面下方には、ベース部１２０を回転自在に嵌合保持するための、環状の嵌合凸部１１４，１１５が設けられている。収容部１１０は、例えば透明樹脂によって形成することができる。側壁部１１１と上面部１１２とは、一体に形成されても良いし、個別に形成した後で固着されても良いし、取り外し自在に形成されても良い。
【００２０】
ベース部１２０は、略円柱状に形成され、収容部１１０の底面開口を塞ぐように配置される。ベース部１２０の上面には、複数個の計量用凹部１２１，１２２が設けられる。計量用凹部の個数は３個以上でも良いが、本実施の形態では２個とした。本実施の形態では、計量用凹部１２１，１２２を略円柱状の窪みとしたが、他の形状でも良い。２個の計量用凹部１２１，１２２は、相互に異なる容積に設定されている。本実施の形態では、計量用凹部１２１の容積は小さじ一杯分に相当する容積（約５ｃｃ）とし、計量用凹部１２２の容積は大さじ一杯分に相当する容積（約１５ｃｃ）とした。また、ベース部１２０の外側面には、収容部１１０の嵌合凸部１１４，１１５と回転自在に嵌合させるための、嵌合凹部１２３，１２４が設けられている。本実施の形態では、計量用凹部１２１，１２２を、収容部１１０を回転させる際の回転中心を中心とした円周に沿って、配置する。ベース部１２０は、例えば樹脂によって形成される。
【００２１】
取出用筒部１０２は、上下両端が開口したパイプ状の部材であり、計量用凹部１２１，１２２の何れかに貯留された内容物のみを選択的に外部に取り出すために使用される。このために、本実施の形態では、取出用筒部１０２の下側開口端１３１をベース部１２０の上面近傍に配置し、また、上側開口端１３２を収容部１１０の上面部１１２に設けられた開口１１３を貫通させて外部に露出させる。取出用筒部１０２は、上面部１１２に固定される。但し、取出用筒部１０２を、上面部１１２或いは収容部１１０全体と一体に形成しても良い。また、例えば取出用筒部１０２を折り曲げられた状態に形成して、収容部１１０の側壁部１１１から外部に貫通、露出させても良い。取出用筒部１０２は、例えば樹脂によって形成される。内容物が液体の場合には、取出用筒部１０２とベース部１２０の正面とがシーリングされることが望ましい。
【００２２】
なお、収容部１１０やベース部１２０の外側側面には、取出用筒部１０２が回転して計量用凹部１２１の真上に達した状態及び計量用凹部１２２の真上に来た状態を判別するための目印等を設けることが望ましい。
【００２３】
次に、本実施の形態に係る計量容器１００の使用方法について、図３を用いて説明する。図３において、図１及び図２と同じ符号を付した構成要素は、それぞれ図１及び図２と同じものを示す。
【００２４】
計量容器１００に内容物を収容、補充する際には、まず、計量容器１００を上下逆転させた状態で、収容部１１０からベース部１２０を取り外し、該収容部１１０に内容物を収容する。そして、ベース部１２０を収容部１１０に再び嵌合させることで該収容部１１０を塞ぎ、ベース部１２０が底側になるように計量容器１００を反転させる（図３（ａ）参照）。
【００２５】
一方、計量容器１００から所望量の内容物を取り出す場合には、まず、収容部１１０をベース部１２０に対して回転させることにより、取出用筒部１０２を計量用凹部１２１，１２２のいずれか一方の真上に移動させる（図３（ｂ）参照）。そして、計量容器１００全体を傾けることにより、当該計量用凹部に貯留された内容物のみを外部に取り出すことができる（図３（ｃ）参照）。
【００２６】
その後、ベース部１２０が底側になる状態に戻し、さらに、取出用筒部１０２を回転させて、当該計量用凹部の真上の位置からずらす（図３（ａ）参照）。これにより、収容部１１０に収容された内容物の一部が、当該計量用凹部内に新たに貯留される。
【００２７】
以上説明したように、本実施の形態によれば、利用者は、内容物を取り出す際に、計量容器内に設けた計量室に一旦異動させる必要が無い。このため、本実施の形態によれば、短時間で簡単に、所望量の内容物を取り出すことができる。
【００２８】
また、本実施の形態では、収容部１１０を回転させて、取出用筒部１０２を計量用凹部１２１，１２２の真上まで移動させるだけで、取り出される内容物の量を設定することができる。このため、本実施の形態によれば、利用者が目盛りを目視して計量する必要が無く（すなわち、目印等を目視して回転位置を確認するだけで良く）、特に老眼の高齢者等にとって扱いやすい。
【００２９】
更に、本実施形態では、取出用筒部の回転移動を、計量容器を机上等に載置した状態で行えるため、取り扱いが容易であると共に、かかる取り扱い中に計量容器を落下させてしまうおそれも小さい。
【００３０】
なお、本実施の形態では収容部１１０とベース部１２０とを別個に形成して相互に回転する構成としたが、例えば収容部１１０の側壁部１１１とベース部１２０とを一体に形成して上面部１１２が回転する構成としても良い。
【００３１】
また、図４の概念図に示したように、例えばＳ字状に屈曲した取出用筒部４０１の上側開口端を上面部１１２に回転自在に取り付け、利用者が握持して回転させる構成としても良い。このような構成によれば、取出用筒部４０１の下側開口端を計量用凹部１２１の真上まで回転移動させること（図４の符号４０１ａ参照）又は計量用凹部１２２の真上まで回転移動させること（図４の符号４０１ｂ参照）により、これら計量用凹部１２１，１２２に貯留された内容物の一方を選択的に外部に取り出すことができる。
【００３２】
すなわち、計量用凹部１２１，１２２と取出用筒部１０２の下側開口端１３１とを相対的に回転移動させるできる構造であれば、どのような構造であっても本発明に適用できる。
［発明の実施の形態２］
【００３３】
図５及び図６は、本発明の実施の形態２に係る計量容器の構造を概念的に示す図であり、図５は全体の断面図、図６（ａ）は容器本体の底面の図、図６（ｂ）は計量回転器の平面図、図６（ｃ）はベース部の平面図である。
【００３４】
図５及び図６に示したように、本実施の形態に係る計量容器５００は、容器本体５１０と、回転軸５２０と、計量用回転器５３０と、ベース部５４０とを備える。
【００３５】
容器本体５１０は、例えば円筒状の側壁部５１１と、上蓋部５１２と、底部５１３とを備える。上蓋部５１２は、例えば側壁部５１１の上部にねじ込み固定できるように構成されている。側壁部５１１と底部５１３とは例えば一体に形成される。容器本体５１０は、例えば透明樹脂によって形成することができる。
【００３６】
容器本体５１０の底面には、本体開口部５１４，５１５が設けられる（図６（ａ）参照）。これら本体開口部５１４，５１５は、回転軸５２０を中心とする同一円周上に配置される。容器本体５１０の本体開口部は、１個とすることも３個以上とすることも可能であるが、本実施の形態では後述の計量用筒部と同数の２個とした。
【００３７】
また、容器本体５１０の底面中央には、回転軸５２０が固定される。回転軸５２０は、容器本体５１０と一体に形成されても良い。
【００３８】
計量用回転器５３０は、容器本体５１０の底面側に近接して、配設される。計量用回転器５３０は、容器本体５１０の底面に対向する円盤状の回転板５３１と、この回転板５３１の外周に沿って該回転板５３１と直角に設けられた環状の外縁部５３２とを備える。回転板５３１の中央には、回転軸５２０を貫通させるための貫通孔５３５が設けられる。これにより、計量用回転器５３０は、回転軸５２０を中心として回転することができる。計量用回転器５３０は、例えば樹脂で形成される。
【００３９】
回転板５３１の底面側には、複数個の計量用筒部５３３，５３４が設けられる（図６（ｂ）参照）。計量用筒部の数は３個以上でも良いが、本実施の形態では２個とした。本実施の形態では、計量用筒部５３３，５３４を円筒形としたが、他の形状でも良い。２個の計量用筒部５３３，５３４は、相互に異なる容積に設定されている。本実施の形態では、計量用筒部５３３の容積は小さじ一杯分に相当する容積とし、計量用筒部５３４の容積は大さじ一杯分に相当する容積とした。計量用筒部５３３，５３４は、上述の本体開口部５１４，５１５と同じ円周に沿って、同じ距離間隔で配置される。すなわち、本実施の形態では、計量用回転器５３０を適当に回転させることにより、計量用筒部５３３と本体開口部５１４、及び、計量用筒部５３４と本体開口部５１５を、それぞれ同時に対向させることができる。
【００４０】
ベース部５４０は、計量用回転器５３０の底面側に、計量用筒部５３３，５３４の下端と近接するように配置される。ベース部５４０は、回転軸５２０を貫通させるための貫通孔５４３を備え、この貫通孔５４３で回転軸５２０に固定される。ベース部５４０は、例えば樹脂で形成される。
【００４１】
ベース部５４０には、ベース開口部５４１，５４２が設けられる（図６（ｃ）参照）。ベース開口部５４１，５４２は、１個とすることも３個以上とすることも可能であるが、本実施の形態では計量用筒部５３３，５３４と同数の２個とした。ベース開口部５４１，５４２は、上述の本体開口部５１４，５１５と同じ円周に沿って配置される。但し、ベース開口部５４１，５４２は、本体開口部５１４，５１５と対向しないように配置される。また、本実施形態では、ベース開口部５４１を、対応する本体開口部５１４から反時計回り方向にずれた位置に配置し、且つ、ベース開口部５４２を、対応する本体開口部５１５から時計回り方向にずれた位置に配置した。後述するように（図６及び図７参照）、２対の本体開口部及びベース開口部のうち、一方を時計回り方向にずらして配置し且つ他方を反時計回り方向にずらして配置することにより、計量用回転器５３０を時計方向又は反時計方向に少量ずらすだけで該計量用回転器５３０から所望量の内容物を取り出すことができ、このため取り出し操作が簡単になる。
【００４２】
次に、本実施の形態に係る計量容器５００の使用方法について、図７及び図８を用いて説明する。図７及び図８において、図５及び図６と同じ符号を付した構成要素は、それぞれ図５及び図６と同じものを示す。
【００４３】
まず、上蓋部５１２を取り外して、容器本体５１０に内容物を収容、補充し、その後、上蓋部５１２を側壁部５１１に再度ねじ込み固定する（図７（ａ）及び図８（ａ）参照）。
【００４４】
そして、利用者が、外縁部５３２を握持して、計量用回転器５３０を回転させる（ここでは時計方向に回転させる）ことにより、本体開口部５１４と計量用筒部５３３、及び、本体開口部５１５と計量用筒部５３４を、それぞれ対向させる（図７（ｂ）参照）。これにより、容器本体５１０に収容された内容物の一部が、計量用筒部５３３，５３４に落下する。上述のように、本実施の形態ではベース開口部５４１，５４２の位置が本体開口部５１４，５１５からずれており、このため、計量用筒部５３３，５３４の底面はベース部５４０の非開口部分で塞がれている。従って、計量用筒部５３３，５３４には、それぞれの容量に略一致する量の内容物が、それぞれ同時に貯留される（図８（ｂ）参照）。
【００４５】
ここで、計量用筒部５３３に貯留された内容物（すなわち、小さじ一杯分の内容物）を取り出したい場合、利用者は、計量用回転器５３０を反時計方向に回転させる。これにより、計量用筒部５３３の位置を、ベース開口部５４１の位置に一致させることができる（図７（ｃ）参照）。このとき、計量用筒部５３３の上面は、底部５１３の非開口部分で塞がれている。この結果、計量用筒部５３３に貯留された内容物のみが、ベース開口部５４１から取り出される（図８（ｃ）参照）。
【００４６】
一方、計量用筒部５３４に貯留された内容物（すなわち、大さじ一杯分の内容物）を取り出したい場合、利用者は、計量用回転器５３０を、図７（ｂ）の状態から時計方向に回転させる。これにより、計量用筒部５３４の位置を、ベース開口部５４２の位置に一致させることができる（図７（ｄ）参照）。このとき、計量用筒部５３４の上面は、底部５１３の非開口部分で塞がれている。この結果、計量用筒部５３４に貯留された内容物のみが、ベース開口部５４２から取り出される（図８（ｄ）参照）。
【００４７】
内容物を取り出した後、計量用回転器５３０を回転させて図７（ｂ）の状態まで戻すことにより、内容物が取り出された計量用筒部に内容物を再度貯留することができる。
【００４８】
なお、容器本体５１０やベース部５４０の外側側面には、図７（ｂ）〜図７（ｄ）の位置関係（すなわち、計量用筒部５３３，５３４に内容物を貯留する状態、計量用筒部５３３の内容物を取り出す状態及び計量用筒部５３４の内容物を貯留する状態）を判別するための目印を設けることが望ましい。
【００４９】
以上説明したように、本実施の形態によれば、利用者は、内容物を取り出す際に、計量容器内に設けた計量室に一旦異動させる必要が無い。このため、本実施の形態によれば、短時間で簡単に、所望量の内容物を取り出すことができる。
【００５０】
また、本実施の形態では、外縁部５３２を握持して計量用回転器５３０を回転させるだけで、取り出される内容物の量を選択することができる。このため、本実施の形態によれば、利用者が目盛りを目視して計量する必要が無く、老眼の高齢者等にとって特に扱いやすい。
【産業上の利用可能性】
【００５１】
本発明に係る計量容器は、例えば塩、砂糖、コショウ等の調味料用容器に使用できるだけでなく、化学薬品、医薬品等あらゆる分野の粉体等を収容する容器に適用することができる。
【符号の説明】
【００５２】
１００，５００  計量容器
１０１，５１０  容器本体
１０２  取出用筒部
１１０  収容部
１１１，５１１  側壁部
１１２  上面部
１１３  開口
１１４，１１５  嵌合凸部
１２０，５４０  ベース部
１２１，１２２  計量用凹部
５１２  上蓋部
５１３  底部
５２０  回転軸
５３０  計量用回転器
５３１  回転板
５３２  外縁部
５３３，５３４  計量用筒部
５４１，５４２  ベース開口部
【図１】
2012218760.tif 000003
【図２】
2012218760.tif 000004
【図３】
2012218760.tif 000005
【図４】
2012218760.tif 000006
【図５】
2012218760.tif 000007
【図６】
2012218760.tif 000008
【図７】
2012218760.tif 000009
【図８】
2012218760.tif 000010